(57)【要約】【課題】簡便に視野角制限方向の遮光が可能な表示装置を提供すること。【解決手段】本発明の一態様に係る表示装置は、複数の画素と、複数の画素を区画するブラックマスクと、複数の画素がマトリクス状に配置された表示領域とを備え、表示領域に画像を形成するための光を出射するバックライトと、バックライトの光出射側に設けられ、バックライトから出射された光のうち視野角制限方向へ向かう光を遮光する視野角制限部材１１４とを有し、視野角制限部材１１４は、ブラックマスクの厚みよりも１０倍以上厚く形成されるとともに画素間に形成されている。【選択図】図３
2008185964.tif 000002
【特許請求の範囲】
【請求項１】
複数の画素と、前記複数の画素を区画するブラックマスクと、前記複数の画素がマトリクス状に配置された表示領域とを備える表示装置であって、
前記表示領域に画像を形成するための光を出射する光出射部と、
前記光出射部の光出射側に設けられ、前記光出射部から出射された光のうち視野角制限方向へ向かう光を遮光する視野角制限部材とを有し、
前記視野角制限部材は、前記ブラックマスクの厚みよりも１０倍以上厚く形成されるとともに前記画素間に形成されていることを特徴とする表示装置。
【請求項２】
前記視野角制限部材は、前記画素のピッチと略同一のピッチで形成されている請求項１に記載の表示装置。
【請求項３】
前記視野角制限部材は、前記画素のピッチの整数倍のピッチで形成されている請求項１に記載の表示装置。
【請求項４】
前記視野角制限部材は、前記表示領域の略全面にわたって形成されている請求項２又は３に記載の表示装置。
【請求項５】
前記視野角制限部材は、前記表示領域の前記視野角制限方向側のみに形成されている請求項１、２又は３に記載の表示装置。
【請求項６】
前記視野角制限部材のそれぞれは、略同一の高さを有する請求項２〜５のいずれか１項に記載の表示装置。
【請求項７】
前記視野角制限部材のそれぞれは、視野角制限方向から遠ざかるに従って高さが低くなるように形成されている請求項２〜５のいずれか１項に記載の表示装置。
【請求項８】
前記画素は、基板上に形成された第１の電極を有し、
前記視野角制限部材は、前記基板と前記第１の電極との間に形成されている請求項１〜７のいずれか１項に記載の表示装置。
【請求項９】
前記画素は、前記光出射部からの光の透過率を制御することにより表示を行う請求項８に記載の表示装置。
【請求項１０】
前記画素は、前記基板上に前記第１の電極に対向して形成された第２の電極をさらに有し、
前記光出射部は、前記第１の電極と前記第２の電極との間に形成されている請求項８に記載の表示装置。
【請求項１１】
前記画素は、前記基板上に形成された第１の電極と、前記第１の電極に対向して形成された第２の電極を有し、
前記光出射部は、前記第１の電極と前記第２の電極との間に形成され、
前記視野角制限部材は、前記第２の電極上に形成されている請求項１〜７のいずれか１項に記載の表示装置。
【請求項１２】
前記基板に対向配置される対向基板をさらに備え、
前記視野角制限部材は、前記基板と前記対向基板との間に形成されている請求項１〜１１に記載の表示装置。
【発明の詳細な説明】
【技術分野】
【０００１】
本発明は、表示装置に関し、特に、出射光の光線方向を規制した表示装置に関する。
【背景技術】
【０００２】
現在、表示装置は、人と機械とをつなぐインターフェースとして広く使用され、目ざましい進展を果たしている。多くの場合、表示装置の視野角は広いほうが好ましい。そのため、表示装置の開発は視野角を広げる方向で進められてきた。
【０００３】
近年、カーナビゲーション技術の発展に伴い、多くの車にカーナビゲーションシステムが装備されるようになった。一般的に、車載用表示装置は運転者の前方視野内に設けられ、運転者だけでなく、助手席及び後部座席の乗員からも視認可能に設けられる。また、運転者の運転視野を邪魔することのないような位置に配置される。しかし、このように配置された表示装置の画面に表示された画像が、フロントガラスに映り込んでしまうという問題があった。
【０００４】
このフロントガラスに映り込んだ画像は、運転者の運転視野内に位置してしまうため、運転視野が狭くなることがある。また、映り込んだ画像は周りが暗いほどはっきりと認められるようになるため、夜間の運転は特に視野が狭くなることがある。従って、表示装置の画面に表示された画像が、フロントガラス方向へ出射しないように、視野角を制御する必要性が高まっている。
【０００５】
また、表示装置に高いセキュリティ性が必要な情報を表示する場合がある。このとき、広視野角の表示装置にこのような高いセキュリティ性が必要な情報を表示すると、第三者に表示を見られてしまう可能性がある。そこで、セキュリティ性の確保、プライバシー保護への要求から、やはり視野角を特定の範囲に制御する必要性が高まっている。
【０００６】
そこで、このような問題を解決すべく様々な手段が開発されている（例えば、非特許文献１及び２参照）。非特許文献１及び２では、映り込み防止手段として従来から広く知られている、ルーバーを用いる方法が示されている。図９に示すように、ライトコントロールフィルム（以下、ＬＣＦとする）１は、マイクロルーバーをＰＥＴ（polyethylene terephthalate）などのフィルムでラミネートした構造を有する。ＬＣＦ１を表示装置２の画面の視認側に配置することによって、特定の方向へ向かう光は遮光され、視野角を制限することができる。
【非特許文献１】郷原、「車載用ディスプレイの現状と今後の製品・技術動向」、ファインテック・ジャパン２００６、平成１８年５月
【非特許文献２】"３Ｍ  Optical Systems Products  ライトコントロールフィルム"、［online］、住友スリーエム株式会社、［平成１９年１月２５日検索］、インターネット〈URL：http://www.mmm.co.jp/display/light/index.html〉
【発明の開示】
【発明が解決しようとする課題】
【０００７】
しかしながら、非特許文献１及び２に示されるルーバーは、マイクロルーバーをＰＥＴ等のフィルムでラミネートした構造を有しており、表示パネル自体の厚みが増してしまうという問題がある。また、ルーバーは高価であり、ルーバーを貼着した表示装置自体のコストが増加する。さらに、ルーバーのピッチ制御が必要であり、表示装置の画素のピッチとの位置合わせが難しく、モアレなどが発生する問題がある。
【０００８】
本発明はこのような事情を背景としてなされたものであり、本発明の目的は、表示装置の厚みの増大を抑制し、視野角制限方向の遮光が可能な表示装置を提供することである。
【課題を解決するための手段】
【０００９】
本発明の第１の態様に係る表示装置は、複数の画素と、前記複数の画素を区画するブラックマスクと、前記複数の画素がマトリクス状に配置された表示領域とを備える表示装置であって、前記表示領域に画像を形成するための光を出射する光出射部と、前記光出射部の光出射側に設けられ、前記光出射部から出射された光のうち視野角制限方向へ向かう光を遮光する視野角制限部材とを有し、前記視野角制限部材は、前記ブラックマスクの厚みよりも１０倍以上厚く形成されるとともに前記画素間に形成されているものである。これにより、表示装置の厚みの増大を抑制し、視野角制限方向の遮光が可能な表示装置を提供することができる。
【００１０】
本発明の第２の態様に係る表示装置は、上記の表示装置において、前記視野角制限部材は、前記画素のピッチと略同一のピッチで形成されているものである。これにより、モアレの発生を抑制することができる。
【００１１】
本発明の第３の態様に係る表示装置は、上記の表示装置において、前記視野角制限部材は、前記画素のピッチの整数倍のピッチで形成されているものである。これにより、モアレの発生を抑制することができる。
【００１２】
本発明の第４の態様に係る表示装置は、上記の表示装置において、前記視野角制限部材は、前記表示領域の略全面にわたって形成されているものである。これにより、視野角制限方向の遮光を確実に行うことができる。
【００１３】
本発明の第５の態様に係る表示装置は、上記の表示装置において、前記視野角制限部材は、前記表示領域の前記視野角制限方向側のみに形成されているものである。これにより、視野角制限方向の輝度を低下させることができるとともに、コストの低減を図ることができる。
【００１４】
本発明の第６の態様に係る表示装置は、上記の表示装置において、前記視野角制限部材のそれぞれは、略同一の高さを有するものである。これにより、視野角制限方向の遮光を確実に行うことができる。
【００１５】
本発明の第７の態様に係る表示装置は、上記の表示装置において、前記視野角制限部材のそれぞれは、視野角制限方向から遠ざかるに従って高さが低くなるように形成されているものである。これにより、視野角制限方向の輝度を所定の値にすることができる。
【００１６】
本発明の第８の態様に係る表示装置は、上記の表示装置において、前記画素は、基板上に形成された第１の電極を有し、前記視野角制限部材は、前記基板と前記第１の電極との間に形成されているものである。
【００１７】
本発明の第９の態様に係る表示装置は、上記の表示装置において、前記画素は、前記光出射部からの光の透過率を制御することにより表示を行うものである。本発明は、このような場合に特に有効である。
【００１８】
本発明の第１０の態様に係る表示装置は、上記の表示装置において、前記画素は、前記基板上に前記第１の電極に対向して形成された第２の電極をさらに有し、前記光出射部は、前記第１の電極と第２の電極との間に形成されているものである。本発明は、このような場合に特に有効である。
【００１９】
本発明の第１１の態様に係る表示装置は、上記の表示装置において、前記画素は、前記基板上に形成された第１の電極と、前記第１の電極に対向して形成された第２の電極を有し、前記光出射部は、前記第１の電極と前記第２の電極との間に形成され、前記視野角制限部材は、前記第２の電極上に形成されているものである。本発明は、このような場合に特に有効である。
【００２０】
本発明の第１２の態様に係る表示装置は、上記の表示装置において、前記基板に対向配置される対向基板をさらに備え、前記視野角制限部材は、前記基板と前記対向基板との間に形成されているものである。これにより、視野角制限部材を、基板と対向基板とで形成される空間内に形成することができる。
【発明の効果】
【００２１】
本発明によれば、表示装置の厚みの増大を抑制し、視野角制限方向の遮光が可能な表示装置を提供することができる。
【発明を実施するための最良の形態】
【００２２】
以下、本発明の実施の形態について図を参照して説明する。以下の説明は、本発明の実施の形態を説明するものであり、本発明が以下の実施の形態に限定されるものではない。
【００２３】
実施の形態１．
図１を参照して、実施の形態１に係る表示装置について説明する。ここでは、表示装置に用いる表示素子の一例としてＴＮ（Twisted Nematic）型のアクティブマトリクス液晶表示素子を用いた例について説明する。本実施の形態に係る表示装置は、車載用の表示装置であり、カーナビゲーションシステムにおいて用いられる。従って、車載用液晶表示装置（以下、液晶表示装置とする）１００は、図２に示すように自動車２００の車内前方の中央部に設けられ、運転者だけでなく、助手席及び後部座席の乗員からも視認可能に設けられる。なお、ここでは液晶表示装置１００から出射し、フロントガラス２０１に向かう方向の光の映り込み防止について説明するが、サイドガラスやサイドミラーへの映り込み防止等にも利用可能である。
【００２４】
図１は、本実施の形態に係る液晶表示装置１００の構成を示す模式図である。図１に示すように、液晶表示装置１００は、液晶表示素子１０１と、バックライト１０２とを備えている。図１において、右方向（アイポイント側）が視認側、左方向が反視認側である。また、図１中矢印で示す方向を表示上部とする。バックライト１０２の視認側には、液晶表示素子１０１が配置されている。
【００２５】
液晶表示素子１０１は、バックライト１０２から出射される光の透過率を制御して画像表示を行うものである。ここで、液晶表示素子１０１の構成について図３を参照して説明する。図３は、本実施の形態に係る液晶表示素子１０１の構成を示す図である。図３に示すように、液晶表示素子１０１は、基板１０３と、基板１０３に対向配置された対向基板１０４との間に液晶１０５を挟持した構成を有している。基板１０３、対向基板１０４は、例えばガラスなどの透明な絶縁性基板である。
【００２６】
基板１０３には、複数の画素電極１０６が列方向に一定間隔を隔てて形成されている。また、対向基板１０４には、画素電極１０６と交差するように対向電極１０７が行方向に一定間隔を隔てて形成されている。対向電極１０７は、画素電極１０６と液晶１０５を挟んで対向する。画素電極１０６と対向電極１０７との交差部が画素に対応する。マトリクス状に配置された複数の画素が、表示領域となる。画素電極１０６及び対向電極１０７は、例えば、ＩＴＯ（Indium Tin Oxide）などの透明導電性薄膜から形成されている。
【００２７】
対向電極１０７が形成された対向基板１０４には、画素に対応する位置にＲ（赤）、Ｇ（緑）、Ｂ（青）のいずれかに着色された樹脂からなる着色層１０８を配置したカラーフィルタが設けられている。また、Ｒ、Ｇ、Ｂ各色の着色層１０８の間には、ＢＭ（Black Mask：ブラックマスク）１０９が設けられている。着色層１０８及びＢＭ１０９は、例えば、２〜３μｍの厚みで形成される。なお、カラーフィルタを配設しない白黒表示の液晶表示素子であってもよい。
【００２８】
また、２枚の基板１０３、１０４の対向する面にはそれぞれ所定の方向に配向された配向膜１１０が設けられている。両基板１０３、１０４の間は、スペーサ１１１によって、所定の間隔になるように保持されている。これら両基板１０３、１０４は、枠状のシール材１１２により周辺を接着されている。両基板１０３、１０４とシール材１１２とで形成される空間に液晶１０５が封入される。これら両基板１０３、１０４に挟持された液晶１０５は、配向膜１１０によって所定の方向に配向する。基板１０３及び対向基板１０４のそれぞれの外側表面には、偏光板１１３が貼着されている。偏光板１１３としては、ＰＶＡなどからなる二色性偏光板を用いることができる。
【００２９】
なお、液晶表示素子１０１の基板１０３又は対向基板１０４のいずれかの端部には、駆動回路（不図示）が設けられる。駆動回路は、外部から入力される表示データに基づいて、画像の表示に必要な各種の制御信号、走査電圧及び表示電圧などを出力する。
【００３０】
液晶表示素子１０１の反視認側には、バックライト１０２が備えられている。バックライト１０２は、液晶表示素子１０１の反視認側から液晶表示素子１０１に対して白色光を照射する。従って、本実施の形態においては、バックライト１０２が、表示領域に画像を形成するための光を出射する光出射部となる。バックライト１０２としては、例えば、光源、導光板、プリズムシートなどを備えた一般的な構成のものを用いることができる。
【００３１】
対向基板１０４と対向電極１０７との間には、視野角制限部材１１４が形成されている。視野角制限部材１１４は、光出射部であるバックライト１０２からの光出射側に設けられている。視野角制限部材１１４は、バックライト１０２から出射され、液晶１０５を透過した光のうち、視野角を制限したい視野角制限方向へ向かう光を遮光する。視野角制限部材１１４の構成については、後に詳述する。
【００３２】
ここで、上述した液晶表示装置１００の駆動について説明する。駆動回路から各画素電極１０６及び対向電極１０７に表示電圧が供給されると、画素電極１０６と対向電極１０７との電位差に応じて、画素電極１０６と対向電極１０７間の液晶の配列が変化する。反視認側の偏光板１１３を透過した直線偏光は、液晶１０５によって偏光方向が制御され、視認側の偏光板１１３を透過する光の透過率が制御される。これによって、バックライト１０２から入射される光の透過量が制御される。液晶表示素子１０１の各画素は、透過する光量に応じた色の濃淡とＲＧＢいずれかの色表示によりさまざまな色合いの表示を行う。
【００３３】
図２は、液晶表示装置１００を自動車に搭載したときの液晶表示装置１００から出射した光と、運転者との位置関係を説明する図である。図２に示すように、液晶表示装置１００は、車内前方に配置されている。液晶表示装置１００から出射した光のうちの一部は、運転者の方向に直接向かう。また、一部はフロントガラス２０１に反射して運転者の方向に向かう。このフロントガラス２０１に映り込んだ画像は、運転者の運転視野内に位置してしまうため、運転視野が狭くなる。従って、液晶表示装置１００から出射しフロントガラス２０１の方向に向かう光を遮光する必要がある。本実施の形態の場合、このフロントガラス２０１に向かう光の方向が視野角制限方向である。ここでは、液晶表示装置１００の表示面の上方３０°方向を視野角制限方向とし、視野角制限方向の輝度を５０ｃｄ／ｍ２よりも小さくなるように設定するものとする。
【００３４】
ここで、視野角制限部材１１４の構成について、図４及び図５を参照して詳細に説明する。図４は、視野角制限部材１１４が形成された対向基板１０４の構成を示す図である。また、図５は、図４のＡ−Ａ断面図である。図４は、対向基板１０４を図３の下側、すなわち、対向基板１０４を視野角制限部材１１４、対向電極１０７等が形成された面側から見た図を示している。なお、説明のため、図５においては、８本の対向電極１０７を形成した場合について説明する。
【００３５】
図４及び図５に示すように、対向基板１０４上には、略同一の高さの視野角制限部材１１４が形成されている。視野角制限部材１１４としては、例えば、カーボンブラックと呼ばれる黒色顔料などの遮光性を有する材料を用いることができる。視野角制限部材１１４は、隣位する対向電極１０７同士の間に、対向電極１０７が延在する方向と同じ方向に延在するように形成されている。従って、視野角制限部材１１４は、基板１０３に形成された画素電極１０６と直交するように形成される。また、視野角制限部材１１４は、ＢＭ１０９の高さの１０倍以上となるように例えば１００μｍとし、対向基板１０４上に凸状に立設される。すなわち、視野角制限部材１１４は、画素間に凸状に配置され、表示領域の略全面にわたって形成されている。
【００３６】
このように、視野角制限部材１１４を表示領域の略全面にわたって画素間に凸状に形成することによって、視野角制限方向へ向かう光の遮光を確実に行うことができ、視野角制限方向の輝度を所定の値とすることができる。また、従来のように、ルーバーをＰＥＴ樹脂でラミネートしたＬＣＦと同様な視野角制限効果を得ることができるとともに、ルーバーを用いるよりも液晶表示素子の厚みの増大を抑制することができる。
【００３７】
また、視野角制限部材１１４は、画素のピッチと略同一のピッチで形成されている。これにより、視野角制限部材１１４と画素との間で発生するモアレを抑制することができる。なお、視野角制限部材１１４は、画素のピッチの整数倍のピッチで形成されていてもよい。
【００３８】
図５に示すように、対向基板１０４上に凸状に立設された複数の視野角制限部材１１４の間には、視野角制限部材１１４と対向基板１０４との間の段差を埋める平坦化膜１１５が形成されている。平坦化膜１１５としては、透明の樹脂等を用いることができる。これにより、視野角制限部材１１４と対向基板１０４との段差を平坦化し、その上に着色層１０８、ＢＭ１０９が形成される。そして、着色層１０８及びＢＭ１０９からなるカラーフィルタの上に対向電極１０７が形成される。
【００３９】
そして、上述したように、対向基板１０４の視野角制限部材１１４が形成された面に対向して基板１０３が配置される。従って、視野角制限部材１１４は、基板１０３と対向基板１０４との間に形成されている。これにより、視野角制限部材１１４を基板１０３と対向基板１０４とシール材１１２とで形成される空間内に配置することができる。なお、視野角制限部材１１４は、対向基板１０４側に限定されず、基板１０３側に形成してもよい。また、基板１０３及び対向基板１０４の外側の面に形成することも可能である。
【００４０】
ここで、図６を参照して、視野角制限部材１１４の高さと視野角制限角度について説明する。図６に示すように、画素の表示上部方向の大きさをｘ（μｍ）、視野角制限部材１１４の高さをｈ（μｍ）、視野角制限角度をθ（°）とする。なお、視野角制限角度θとは、視野角制限部材１１４が設けられた側とは反対側の画素端部と視野角制限部材１１４の端部を通る平面が画素面となす角をいう。すなわち、光出射面である画素から出射される光のうち、高さｈに形成された視野角制限部材１１４で遮られる光の角度をいう。
【００４１】
表１に示すように、対角が７インチサイズのＷＱＶＧＡの液晶表示素子では、水平方向の画素数は４００であり、垂直方向（表示上部に向かう方向）の画素数は２４０である。このときの、画素の大きさｘは、３６７．７μｍとなる。一方、同サイズのＷＶＧＡの液晶表示素子では、水平方向の画素数は８００であり、垂直方向の画素数は６００である。このときの、画素の大きさｘは、１７１．５μｍとなる。
【表１】
2008185964.tif 000003
【００４２】
画素の大きさｘ（μｍ）と、光出射面である画素から高さｈの視野角制限部材１１４によって遮られる光の角度は、以下の式で求めることができる。
θ＝ｔａｎ−１（ｈ／ｘ）
【００４３】
ＷＱＶＧＡの液晶素子を用いた場合、視野角制限部材１１４の高さｈを変化させたときの視野角制限角度を表２に示す。
【表２】
2008185964.tif 000004
表２に示すように、ＷＱＶＧＡの液晶素子を用いた場合、視野角制限部材の高さを１００μｍとすると、視野角制限角度θは１５．２°となる。
【００４４】
ＷＶＧＡの液晶素子を用いた場合、視野角制限部材１１４の高さｈを変化させたときの視野角制限角度を表３に示す。
【表３】
2008185964.tif 000005
表３に示すように、視野角制限部材１１４の高さを１００μｍとすると、視野角制限角度θは３０．２°となる。このように、画素間に所定の高さの視野角制限部材１１４を配置することにより、視野角を制限したい方向の輝度を低下させることができる。なお、視野角制限部材１１４の数、高さ、幅等は、視野角制限方向での輝度、制限角度に応じて適宜変更することができる。例えば、視野角制御角度を１０°以上確保したいという要求であれば、視野角制限部材１１４の高さをＢＭ１０９の厚みよりも１０倍以上厚くし、具体的には、ＷＱＶＧＡでは７０μｍ以上、ＷＶＧＡでは４０μｍ以上とする。
【００４５】
図７に、本実施の形態に係る液晶表示装置１００に用いられる、視野角制限部材１１４が形成された対向基板１０４の構成の他の例を示す。図７に示すように、視野角制限部材１１４は、表示領域の視野角制限方向側のみに形成されていてもよい。図７に示す例では、表示領域において、視野角を制限したい表示上部側、すなわち、上側半分側に視野角制限部材１１４が形成されている。このように、視野角制限部材１１４を表示領域の視野角制限方向側のみに形成することにより、視野角制限方向の輝度を所定の値に低下させることができるとともに、視野角制限部材１１４にかかるコストの低下を図ることができる。
【００４６】
実施の形態２．
本発明の実施の形態２に係る表示装置について、図８を参照して説明する。図８は本実施の形態に係る液晶表示装置１００に用いられる対向基板１０４の構成を示す図である。本実施の形態において、実施の形態１と異なる点は、視野角制限部材１１４の高さである。本実施の形態において図８において、図５と同一の構成要素には同一の符号を付し、説明を省略する。なお、対向基板１０４以外の構成については、図１において説明したものと略同一の構成とすることができる。
【００４７】
図８に示すように、視野角制限部材１１４は、対向基板１０４上に、視野角制限方向から遠ざかるに従ってその高さが低くなるように形成されている。本実施の形態においては、視野角制限方向である表示上部から遠ざかるにつれて、視野角制限部材１１４の高さが低くなる。視野角制限部材１１４としては、遮光性を有する感光性樹脂等を用いることができる。グレイトーンマスク又はハーフトーンマスクといった多階調マスクを用いて、光照射量を部分的に調整することにより、高さの異なる視野角制限部材１１４を形成することができる。
【００４８】
また、実施の形態１において説明したように、視野角制限部材１１４は、隣位する対向電極１０７の間に、対向電極１０７が延在する方向と同じ方向に延在するように形成されている。従って、視野角制限部材１１４は、基板１０３に形成された画素電極１０６と直交するように形成される。また、視野角制限部材１１４は、対向基板１０４上に画素間に凸状に立設され、表示領域の略全面にわたって形成されている。
【００４９】
このように、視野角制限部材１１４を表示領域の略全面にわたって、視野角制限方向から遠ざかるに従ってその高さが低くなるように、画素間に凸状に形成することによって、視野角制限方向へ向かう光を遮光することができ、視野角制限方向の輝度を所定の値とすることができる。従来のように、ルーバーをＰＥＴ樹脂でラミネートしたＬＣＦと同様な視野角制限効果を得ることができるとともに、ルーバーを用いるよりも液晶表示素子の厚みの増大を抑制することができる。また、視野角制限部材１１４を略同一の高さで表示領域全体にわたって形成するよりも視野角制限部材１１４にかかるコストを抑制することができる。
【００５０】
また、図８に示すように、対向基板１０４上に凸状に形成された複数の視野角制限部材１１４の間には、視野角制限部材１１４と対向基板１０４との間の段差を埋める平坦化膜１１５が形成されている。これにより、視野角制限部材１１４と対向基板１０４との段差を平坦化し、その上に着色層１０８、ＢＭ１０９が形成される。そして、着色層１０８及びＢＭ１０９からなるカラーフィルタの上に対向電極１０７が形成される。そして、上述したように、対向基板１０４の視野角制限部材１１４が形成された面に対向して基板１０３が配置される。従って、視野角制限部材１１４は、基板１０３と対向基板１０４との間に形成されている。
【００５１】
なお、視野角制限部材１１４は、対向基板１０４側に限定されず、基板１０３側に形成してもよい。また、基板１０３及び対向基板１０４の外側の面に形成することも可能である。また、視野角制限部材１１４は、画素のピッチと略同一のピッチで形成されていてもよく、画素のピッチの整数倍のピッチで形成されていてもよい。
【００５２】
また、図７において説明したように、視野角制限部材１１４は、表示領域の視野角制限方向側のみに形成されていてもよい。すなわち、視野角制限部材１１４を、表示領域内の視野角制限方向側のみに、視野角制限方向から遠ざかるに従ってその高さが低くなるように形成してもよい。視野角制限部材１１４を表示領域の視野角制限方向側のみに形成することにより、視野角制限方向の輝度を所定の値に低下させることができるとともに、視野角制限部材１１４にかかるコストの低下を図ることができる。
【００５３】
なお、ここでは、液晶表示素子１０１として、ＴＮ型のアクティブマトリックス液晶表示素子を用いた例を示したが、これに限定されるものではない。例えば、他の液晶表示素子の型式として、ＳＴＮ（Super Twisted Nematic）型の液晶表示素子、画素電極とコモン電極が同一基板上に形成されたＩＰＳ（In Plane Switching）型の液晶表示素子などを用いることができる。本発明は、これらのような様々な型式の液晶表示素子を適用することが可能である。
【００５４】
また、有機ＥＬ素子など、液晶表示素子以外の表示素子を用いることも可能である。なお、液晶表示素子１０１の代わりに有機ＥＬ表示素子、ＰＤＰ、ＶＦＤ、ＦＥＤなどの自発光素子を用いる場合には、自発光素子の視認側すなわち光出射側に視野角制限部材１１４を配置する。例えば、有機ＥＬ表示素子を用いる場合、画素は、基板上に形成された第１の電極と、第１の電極に対向して配置された第２の電極とを有し、第１の電極と第２の電極との間に光を出射する有機発光層が形成される。視野角制限部材は、ボトムエミッション型のときは第１の電極と基板との間に形成される。また、トップエミッション型の有機ＥＬ表示素子のときは、第２の電極の上に形成される。また、視野角制限部材は、有機ＥＬ素子が形成された基板に対向して配置された対向基板との間に形成される。
【００５５】
また、ここでは、車載用液晶表示装置を例として説明したが、本発明はこれに限定されるものではない。例えば、個人向け情報提供に用いられるＡＴＭや航空機、鉄道などの各座席のディスプレイなど表示する方向を限定することが望ましい場合において、簡便に視野角を制限することが可能である。さらに、本実施の形態では視野角制限部材を基板上に凸状に立設して形成したが、本発明はこれに限定されるものではない。例えば、ガラス基板をフッ化水素酸等でエッチングして溝状の掘り込み部を形成し、この掘り込み部にカーボンブラック等の遮光性部材を含有した材料を充填して視野角制限部材としてもよい。
【図面の簡単な説明】
【００５６】
【図１】実施の形態１に係る液晶表示装置の構成の一例を示す模式図である。
【図２】液晶表示装置から運転者の目に入射する光の軸方向を示す図である。
【図３】実施の形態１に係る液晶表示装置の構成の一例を示す断面図である。
【図４】実施の形態１に係る液晶表示装置に用いられる対向基板の構成の一例を示す図である。
【図５】図４のＡ−Ａ断面図である。
【図６】視野角制限角度を説明するための図である。
【図７】実施の形態１に係る液晶表示装置に用いられる対向基板の構成の他の例を示す図である。
【図８】実施の携帯２に係る液晶表示装置に用いられる対向基板の構成を示す図である。
【図９】従来のルーバーを用いた車載用表示装置構成を示す模式図である。
【符号の説明】
【００５７】
１００  車載用液晶表示装置
１０１  液晶表示素子
１０２  バックライト
１０３  基板
１０４  対向基板
１０５  液晶
１０６  画素電極
１０７  対向電極
１０８  着色層
１０９  ＢＭ
１１０  配向膜
１１１  スペーサ
１１２  シール材
１１３  偏光板
１１４  視野角制限部材
１１５  平坦化膜
２００  自動車
２０１  フロントガラス
【図１】
2008185964.tif 000006
【図２】
2008185964.tif 000007
【図３】
2008185964.tif 000008
【図４】
2008185964.tif 000009
【図５】
2008185964.tif 000010
【図６】
2008185964.tif 000011
【図７】
2008185964.tif 000012
【図８】
2008185964.tif 000013
【図９】
2008185964.tif 000014